(57)【要約】      （修正有）【課題】残存歯に馴染みやすく、且つ、ワンタッチで簡単に装着及び取り外しをすることが可能な入れ歯を提供する。【解決手段】可動義歯床部は、ポリアミド樹脂から構成され、残存歯の付根近傍の正面を覆う。ヒンジ部は、固定義歯床部の左右方向の一方側に設けられる。凹部１４は、固定義歯床部の左右方向の他方側に設けられる。凸部１５は、可動義歯床部の左右方向の他方側に設けられる。溝部１６は、凸部の先端面１５ｓと当接する凹部の当接面１４ｓに、口腔内の左右方向の他方に沿って設けられる。装着ピン１７は、凸部の先端面から口腔内の左右方向に出入可能に設けられる。弾性部材１８は、装着ピンを口腔内の左右方向の他方側に押圧する。傾斜面１９は、凸部の先端面からの装着ピンの先端に形成される。突起部２０は、装着ピンを口腔内の左右方向にスライド可能に保持する。【選択図】図６
2020130902.tif 000002
【特許請求の範囲】
【請求項１】
残存歯の付根近傍の背面と欠損歯の存在した馬蹄状の顎堤の表面とを覆い、当該顎堤の表面に仮歯肉を形成させる固定義歯床部と、
前記仮歯肉の表面で、前記欠損歯の位置に設けられる人工歯と、
ポリアミド樹脂から構成され、前記残存歯の付根近傍の正面を覆う可動義歯床部と、
前記固定義歯床部の左右方向の一方側に設けられ、前記可動義歯床部を口腔内の正面側に回動可能とするヒンジ部と、
前記固定義歯床部の左右方向の他方側に設けられる凹部と、
前記可動義歯床部の左右方向の他方側に設けられる凸部と、
前記凸部の先端面と当接する凹部の当接面に、口腔内の左右方向の他方に沿って設けられる溝部と、
前記凸部の先端面から口腔内の左右方向に出入可能に設けられる装着ピンと、
前記装着ピンを口腔内の左右方向の他方側に押圧して、前記装着ピンを前記凸部の先端面から出した状態にする弾性部材と、
前記凹部の当接面を滑るように、前記凸部の先端面からの装着ピンの先端に形成される傾斜面と、
前記装着ピンを口腔内の左右方向にスライド可能に保持する突起部と、
を備え、
前記固定義歯床部を前記残存歯の付根近傍の背面及び前記顎堤の表面に被覆させて、前記ヒンジ部を介して、前記可動義歯床部を前記残存歯の付根近傍の正面に回動して被せて、前記凸部を前記凹部に装着すると、前記凹部の当接面が前記装着ピンの傾斜面に当接して、前記弾性部材の押圧に抗して、前記装着ピンを前記凸部の先端面から入った状態にし、前記装着ピンの傾斜面が前記凹部の溝部に接すると、前記弾性部材の押圧により、前記装着ピンを前記凸部の先端面から出た状態にして、前記装着ピンを前記溝部に装着し、前記突起部を口腔内の左右方向の一方側にスライドさせると、前記装着ピンが前記溝部から外れて、前記凸部が前記凹部から外れる
入れ歯。
【請求項２】
前記凸部の側面と当接する前記凹部の底面に設けられた係止片と、
前記凸部の側面に設けられ、前記係止片が係止される係止穴と、
を更に備える
請求項１に記載の入れ歯。
【発明の詳細な説明】
【技術分野】
【０００１】
本発明は、入れ歯に関する。
【背景技術】
【０００２】
従来より、入れ歯に関する技術は、多数存在する。例えば、実開平４−６０２１４号公報（特許文献１）には、残存歯を有する歯槽提に固定される義歯が開示されている。この義歯は、残存歯の嵌入される挿入孔より後部で義歯床の金属製基板に立設された支持軸と、挿入孔より前部で基板に設けられた係止棒と、支持軸に所定角度回動可能に嵌合された嵌合筒と係止棒に対して嵌脱自在でかつ前部に人工歯を固着された止め金と嵌合筒と止め金とを連結する抑え金とから形成され嵌合筒部が止め金の回動を可能にする人工歯により覆われた固定部材とからなる。そして、固定部材は、義歯が歯槽提に載置されて止め金が係止棒に係合する位置まで回動させられると抑え金が挿入孔内の残存歯を基板とともに把持する。これにより、歯槽提に対する義歯の着脱にあたり、歯提槽の残存歯に従来のように力がかかることがないので、歯茎に痛みを生じさせることを防止するとともに、残存歯が揺らぐことがないので、残存歯の寿命を長くすることが出来るとしている。
【０００３】
特開２００３−１２６１２１号公報（特許文献２）には、主義歯床と、補助義歯床とから成る挟持型有床義歯が開示されている。主義歯床は、舌側で、人工歯が固設されており頬側に開口し舌側末端に永久磁石構造体が固定されている連結穴が設けられている。補助義歯床は、頬側で、連結穴内に嵌入される嵌入部材の先端に永久磁石構造体に吸着されるキーパーが下側に固定されており、主義歯床の頬側に配置されてキーパーが永久磁石構造体に吸着された際に主義歯床との当接面にその当接面が密着する。補助義歯床はその歯列弓に沿った一方が隣接する残存歯の歯茎部に適合する形状を成し、歯列弓に沿った他方が隣接する残存歯又は主義歯床の隣接する人工歯の歯茎部に適合する形状を成している。主義歯床は、その歯列弓に沿った一方が隣接する残存歯の歯茎部に適合する形状を成し、他方が隣接するか又は隣接していない残存歯の歯茎部にそれぞれ適合する形状を成している。これにより、ガムや餅などのような粘着力の大きなものを咀嚼しても義歯が顎提から外れてしまう現象が発生せず、また未だ健全な残存歯が存在していればその残存歯を全く切削することがなく作製することが出来るとしている。
【０００４】
又、特開２０１５−１０９９６５号公報には、残存歯が数本の患者の入れ歯が開示されている。この入れ歯は、固定義歯床部と、人工歯と、可動義歯床部と、ヒンジ部と、着脱部とを備える。固定義歯床部は、残存歯の付根近傍の口腔内の背面を覆うとともに、残存歯の無い馬蹄状の顎堤の表面及びアンダーカットを覆い、顎堤の表面に仮歯肉を形成させる。人工歯は、仮歯肉の表面に設けられ、失った歯に対応する。可動義歯床部は、残存歯の付根近傍の口腔内の正面を覆う。ヒンジ部は、固定義歯床部に対して可動義歯床部を口腔内の正面側に回動可能とする。着脱部は、固定義歯床部に対して可動義歯床部を口腔内の正面側で着脱可能とする。この入れ歯は、固定義歯床部を残存歯の付根付近の口腔内の背面と顎堤の表面とアンダーカットとに被覆させて、ヒンジ部を介して、可動義歯床部を残存歯の付根近傍の口腔内の正面に回動して被せて、着脱部を介して、被せた可動義歯床部を固定義歯床部に装着することで、固定義歯床部及び稼働義歯床部が残存歯の付根近傍の口腔内の周面を取り囲んだ状態となり、固定義歯床部及び可動義歯床部が、馬蹄状の顎堤及び残存歯に固定される。これにより、装着に違和感無く、咀嚼感を十分に得ることが可能となるとしている。
【先行技術文献】
【特許文献】
【０００５】
【特許文献１】実開平４−６０２１４号公報
【特許文献２】特開２００３−１２６１２１号公報
【特許文献３】特開２０１５−１０９９６５号公報
【発明の概要】
【発明が解決しようとする課題】
【０００６】
通常、口腔内の歯は、残存歯を含めて微妙に動いている。そのため、残存歯に適合する入れ歯を設計する場合、残存歯が微妙に移動しても、入れ歯自身が微妙に変形して、残存歯に適合することが好ましい。
【０００７】
又、残存歯を有する患者の多くが高齢者であることから、入れ歯には、高齢者でも簡単に装着及び取り外し出来る構成が求められている。
【０００８】
前記特許文献１に記載の技術では、係止棒に止め金を係合する構成であるが、係止棒と止め金の形状が細かいとともに、口腔内では、係止棒と止め金が患者から見えないため、係止棒を止め金に適切に係合し難いという課題がある。
【０００９】
前記特許文献２に記載の技術では、磁性材料に永久磁石構造体を磁気吸着力で吸着させる構成であるが、上述と同様に、磁性材料と永久磁石構造体の形状は細かく、口腔内で精度高く磁性材料に永久磁石構造体を当接させる必要があり、磁性材料に対して永久磁石構造体を吸着させ難いという課題がある。
【００１０】
前記特許文献３に記載の技術では、入れ歯の装着及び取り外しに対応して、口腔内で装着キーをスライドさせる必要があり、装着キーの操作がし難いという課題がある。
【００１１】
そこで、本発明は、前記課題を解決するためになされたものであり、残存歯に馴染みやすく、且つ、ワンタッチで簡単に装着及び取り外しをすることが可能な入れ歯を提供することを目的とする。
【課題を解決するための手段】
【００１２】
本発明者は、鋭意研究を重ねた結果、本発明に係る新規な入れ歯を完成させた。即ち、本発明に係る入れ歯は、固定義歯床部と、人工歯と、可動義歯床部と、ヒンジ部と、凹部と、凸部と、溝部と、装着ピンと、弾性部材と、傾斜面と、突起部と、を備える。固定義歯床部は、残存歯の付根近傍の背面と欠損歯の存在した馬蹄状の顎堤の表面とを覆い、当該顎堤の表面に仮歯肉を形成させる。人工歯は、前記仮歯肉の表面で、前記欠損歯の位置に設けられる。可動義歯床部は、ポリアミド樹脂から構成され、前記残存歯の付根近傍の正面を覆う。ヒンジ部は、前記固定義歯床部の左右方向の一方側に設けられ、前記可動義歯床部を口腔内の正面側に回動可能とする。凹部は、前記固定義歯床部の左右方向の他方側に設けられる。凸部は、前記可動義歯床部の左右方向の他方側に設けられる。溝部は、前記凸部の先端面と当接する凹部の当接面に、口腔内の左右方向の他方に沿って設けられる。装着ピンは、前記凸部の先端面から口腔内の左右方向に出入可能に設けられる。弾性部材は、前記装着ピンを口腔内の左右方向の他方側に押圧して、前記装着ピンを前記凸部の先端面から出した状態にする。傾斜面は、前記凹部の当接面を滑るように、前記凸部の先端面からの装着ピンの先端に形成される。突起部は、前記装着ピンを口腔内の左右方向にスライド可能に保持する。
【００１３】
本発明に係る入れ歯は、前記固定義歯床部を前記残存歯の付根近傍の背面及び前記顎堤の表面に被覆させて、前記ヒンジ部を介して、前記可動義歯床部を前記残存歯の付根近傍の正面に回動して被せて、前記凸部を前記凹部に装着すると、前記凹部の当接面が前記装着ピンの傾斜面に当接して、前記弾性部材の押圧に抗して、前記装着ピンを前記凸部の先端面から入った状態にし、前記装着ピンの傾斜面が前記凹部の溝部に接すると、前記弾性部材の押圧により、前記装着ピンを前記凸部の先端面から出た状態にして、前記装着ピンを前記溝部に装着し、前記突起部を口腔内の左右方向の一方側にスライドさせると、前記装着ピンが前記溝部から外れて、前記凸部が前記凹部から外れる。
【発明の効果】
【００１４】
本発明に係る入れ歯によれば、残存歯に馴染みやすく、且つ、ワンタッチで簡単に装着及び取り外しをすることが可能となる。
【図面の簡単な説明】
【００１５】
【図１】残存歯を示す口腔の正面斜視図（図１Ａ）と、入れ歯を装着した口腔の正面斜視図（図１Ｂ）である。
【図２】可動義歯床部を被せる前の入れ歯の右側面斜視図（図２Ａ）と、可動義歯床部を被せた後の入れ歯の右側面斜視図（図２Ｂ）と、である。
【図３】可動義歯床部を被せる前の入れ歯の左側面斜視図（図３Ａ）と、可動義歯床部を被せた後の入れ歯の左側面斜視図（図３Ｂ）と、である。
【図４】固定義歯床部の左側面図と左側面斜視図（図４Ａ）と、可動義歯床部の左側面斜視図と左側面図（図４Ｂ）と、である。
【図５】凹部の平面図と正面図と右側面図とＡ−Ａ線断面図（図５Ａ）と、凸部の平面図と正面図と右側面図とＡ−Ａ線断面図（図５Ｂ）と、である。
【図６】凸部を凹部に装着する場合の断面図（図６Ａ）と、凸部を凹部から取り外す場合の断面図（図６Ｂ）と、である。
【図７】実施例におけるヒンジ部等の斜視図（図７Ａ）と、実施例における凹部と凸部の斜視図（図７Ｂ）と、である。
【図８】患者の口腔内の上顎の斜視図と正面斜視図と下顎の斜視図と、実施例の凹部と凸部の斜視図と下顎の入れ歯の平面図と、入れ歯装着後の患者の口腔内の下顎の斜視図と正面斜視図とである。
【図９】患者の口腔内の上顎の斜視図と正面斜視図と下顎の斜視図と、他の実施例の凹部と凸部の斜視図と下顎の入れ歯の平面図と、入れ歯装着後の患者の口腔内の下顎の斜視図と正面斜視図とである。
【図１０】患者の口腔内の上顎の斜視図と正面斜視図と下顎の斜視図と、他の実施例の上顎の入れ歯の平面図と凹部と凸部の斜視図と、入れ歯装着後の患者の口腔内の上顎の斜視図と正面斜視図とである。
【図１１】患者の口腔内の上顎の斜視図と正面斜視図と下顎の斜視図と、他の実施例の上顎の入れ歯の平面図と凹部と凸部の斜視図と、入れ歯装着後の患者の口腔内の正面斜視図と下顎の斜視図とである。
【図１２】患者の口腔内の上顎の斜視図と正面斜視図と下顎の斜視図と、他の実施例の上顎と下顎の入れ歯の平面図と、入れ歯装着後の患者の口腔内の上顎の斜視図と正面斜視図と下顎の斜視図とである。
【発明を実施するための形態】
【００１６】
以下に、添付図面を参照して、本発明に係る入れ歯の実施形態について説明し、本発明の理解に供する。尚、以下の実施形態は、本発明を具体化した一例であって、本発明の技術的範囲を限定する性格のものではない。
【００１７】
本発明の実施形態では、四つの残存歯を想定し、他の歯が全て欠損歯である場合の入れ歯を示す。残存歯２は、図１Ａに示すように、右側の犬歯と、右側の第一小臼歯と、右側の第二小臼歯と、右側の第一大臼歯であり、欠損歯は、左右の中切歯と、左右の側切歯と、左側の犬歯と、左側の第一小臼歯と、左側の第二小臼歯と、左側の第一大臼歯と、左右の第二大臼歯である。
【００１８】
本発明に係る入れ歯１（義歯）は、図１Ａ、図１Ｂ、図２Ａ、図２Ｂ、図３Ａ、図３Ｂに示すように、固定義歯床部１０と、人工歯１１と、可動義歯床部１２と、ヒンジ部１３と、凹部１４と、凸部１５と、を備える。凹部１４と凸部１５とは、着脱部を構成する。
【００１９】
固定義歯床部１０は、残存歯２の付根近傍の背面と欠損歯２の存在した馬蹄状の顎堤３の表面とを覆い、当該顎堤３の表面に仮歯肉を形成させる。ここで、顎堤とは、歯が無くなって歯肉だけになった部分を意味する。
【００２０】
人工歯１１は、仮歯肉（つまり、固定義歯床部１０）の表面で、欠損歯の位置に設けられる。可動義歯床部１２は、ポリアミド樹脂から構成され、残存歯２の付根近傍の正面を覆う。ヒンジ部１３は、固定義歯床部１０の左右方向の一方側（ここでは、右側）に設けられ、可動義歯床部１２を口腔内の正面側に回動可能とする。
【００２１】
凹部１４は、固定義歯床部１０の左右方向の他方側（ここでは、左側）に設けられる。凸部１５は、可動義歯床部１２の左右方向の他方側（左側）に設けられ、凹部１４に装着される。
【００２２】
本発明に係る入れ歯１は、更に、図４Ａ、図４Ｂ、図５Ａ、図５Ｂに示すように、溝部１６と、装着ピン１７と、弾性部材１８と、傾斜面１９と、突起部２０と、を備える。
【００２３】
溝部１６は、凸部１５の先端面１５ｓと当接する凹部１４の当接面１４ｓに、口腔内の左右方向の他方（左）に沿って設けられる。装着ピン１７は、凸部１５の先端面１５ｓから口腔内の左右方向に出入可能に設けられる。
【００２４】
弾性部材１８は、装着ピン１７を口腔内の左右方向の他方側（左側）に押圧して、装着ピン１７を凸部１５の先端面１５ｓから出した状態にする。傾斜面１９は、凹部１４の当接面１４ｓを滑るように、凸部１５の先端面１５ｓからの装着ピン１７の先端に形成される。突起部２０は、装着ピン１７を口腔内の左右方向にスライド可能に保持する。
【００２５】
そして、本発明に係る入れ歯１は、固定義歯床部１０を残存歯２の付根近傍の背面及び顎堤３の表面に被覆させて、ヒンジ部１３を介して、可動義歯床部１２を残存歯２の付根近傍の正面に回動して被せて、凸部１５を凹部１４に装着すると、図６Ａに示すように、凹部１４の当接面１４ｓが装着ピン１７の傾斜面１９に当接して、弾性部材１８の押圧に抗して、装着ピン１７を凸部１５の先端面１５ｓから入った状態にし、装着ピン１７の傾斜面１９が凹部１４の溝部１６に接すると、弾性部材１８の押圧により、装着ピン１７を凸部１５の先端面１５ｓから出た状態にして、装着ピン１７を溝部１６に装着する（装着動作）。
【００２６】
又、本発明に係る入れ歯１は、図６Ｂに示すように、突起部２０を口腔内の左右方向の一方側（ここでは、右側）にスライドさせると、装着ピン１７が溝部１６から外れて、凸部１５が凹部１４から外れる（取り外し動作）。
【００２７】
これにより、残存歯２に馴染みやすく、且つ、ワンタッチで簡単に装着及び取り外しをすることが可能となる。
【００２８】
即ち、本発明では、可動義歯床部１２は、ポリアミド樹脂から構成されており、ポリアミド樹脂は、所定の可撓性（つまり、適度な粘弾性）を有するため、残存歯２が微妙に移動しても、可動義歯床部１２の形状は、残存歯２の移動に追従して変動する。そのため、可動義歯床部１２を残存歯２に適合することが可能となり、入れ歯１の装着に対する患者の違和感を軽減し、患者への長期間の入れ歯１の装着を可能にする。
【００２９】
又、本発明では、装着動作で、患者が、固定義歯床部１０を残存歯２及び顎堤３の表面に被せて可動義歯床部１２を残存歯２に被せて、凸部１５を凹部１４に装着すると、装着ピン１７の傾斜面１９が凹部１４の当接面１４ｓを滑って装着ピン１７を凸部１５の内部へ入れる。そして、装着ピン１７の傾斜面１９が凹部１４の溝部１６に入ると、弾性部材１８によって、装着ピン１７が凸部１５の外部へ出た状態となり、装着ピン１７が自動的に溝部１６に装着される。そのため、患者は、凸部１５を凹部１４に嵌める作業だけすれば、装着ピン１７が自動的に溝部１６に装着されることから、装着ピン１７をスライドさせる操作を行う必要が無く、ワンタッチで簡単に入れ歯１を装着することが出来る。
【００３０】
更に、本発明では、取り外し動作で、患者が、凸部１５の突起部２０を口腔内で一方側にスライドさせれば、装着ピン１７が溝部１６から外れて、凸部１５が凹部１４から簡単に外れる。そのため、患者は、突起部２０を一方向にスライドさせる作業だけすれば、装着ピン１７を簡単に溝部１６から外すことが可能となり、ワンタッチで簡単に入れ歯１を取り外すことが出来る。
【００３１】
特に、患者は口腔内を見ることが出来ないことから、従来のように、患者が口腔内で装着ピンをスライドさせることで、入れ歯を装着したり取り外したりすることは、通常、難しい。患者が高齢者であれば、尚更である。本発明では、凸部１５の内部に弾性部材１８を組み込むとともに、装着ピン１７の先端に傾斜面１９を形成させることで、上述のようなワンタッチの入れ歯１の装着及び取り外しを可能とするのである。又、弾性部材１８の内蔵により、装着ピン１７が溝部１６に一度嵌ると、突起部２０が操作されない限り、装着ピン１７が溝部１６に入った状態を維持する。そのため、患者が入れ歯１を装着している最中に、何らかの理由で、装着ピン１７がスライドして、入れ歯１が外れるという事態を防止することが出来ることから、患者にとって入れ歯１の装着に違和感が無く、且つ、咀嚼感を十分に得ることが可能となるのである。
【００３２】
ここで、残存歯２の本数に特に限定は無いが、例えば、１本から９本の範囲内であり、好ましくは、１本から５本の範囲内である。尚、図１〜図６に入れ歯１では、残存歯２を４本としている。
【００３３】
又、固定義歯床部１０の構成に特に限定は無いが、例えば、固定義歯床部１０は、馬蹄状の顎堤３に対応する馬蹄状の仮歯肉を形成し、当該形成した仮歯肉のうち、残存歯２及び残存歯２の付根近傍に対応する部分を開口し、当該開口した部分の口腔内の正面側を開口して、可動義歯床部１２が、当該開口した部分の口腔内の正面側に被さるように構成される。
【００３４】
又、固定義歯床部１０における顎堤３の表面を覆う部分に特に限定は無いが、例えば、顎堤３の表面が構成する隆起面を凸面として、当該凸面に嵌り込む凹面を有するよう構成される。又、固定義歯床部１０の仮歯肉に特に限定は無いが、例えば、健常な歯肉の肉厚に対応する肉厚を有するよう構成される。又、固定義歯床部１０が覆う対象に、更に、顎堤３のアンダーカットを含んでも良い。アンダーカットとは、歯や顎堤などの最大豊隆部よりも下方の陥没した部分を意味する。これにより、入れ歯１を強固に固定させることが出来る。
【００３５】
又、固定義歯床部１０の形状は、可動義歯床部１２の装着態様に対応して、適宜設計変
更される。例えば、図４Ａに示すように、可動義歯床部１２に対面する部分が固定義歯床部１０からくり貫かれて（削除されて）、可動義歯床部１２が固定義歯床部１０に装着された場合に、固定義歯床部１０のくり貫かれた部分Ｈに可動義歯床部１２が合わさって、全体として馬蹄状の健常な歯肉の形状に対応する仮歯肉となる。
【００３６】
又、固定義歯床部１０の構成のうち、残存歯２の付根近傍の背面を覆う部分に、寸法安定性に優れ、当該残存歯２の付根近傍の背面又は一部の周面に合わさる被膜材を更に設けても良い。更に、固定義歯床部１０の構成のうち、残存歯２の付根近傍の位置により、仮歯肉が分離する場合、例えば、残存歯２が前歯に集中し、仮歯肉が馬蹄状の奥歯の顎堤３の表面に対応して二つ設けられる場合、各仮歯肉を連結する連結床を更に設けても良い。ここで、被膜材や連結床は、例えば、金属等の寸法安定性に優れる素材が選択される。又、被膜材や連結床に、リテンションビーズ等の粒子を予め複数設けて、これらの粒子に侵入するように固定義歯床部１０を溶融固化することで、固定義歯床部１０の寸法安定性を付与するとともに、被膜材や連結床に対する固定義歯床部１０の剥がれを防止することが可能となる。
【００３７】
又、固定義歯床部１０を構成する材質に特に限定は無いが、例えば、アクリル系樹脂、ポリアミド樹脂、ナイロン系樹脂等を採用することが出来る。又、樹脂の他に金属等を一部採用しても構わない。例えば、上述のように、被膜材や連結床を組み込む場合は、樹脂と金属との組み合わせから構成される。
【００３８】
又、人工歯１１の本数に特に限定は無いが、例えば、健常者が有する歯の本数に対応して、残存歯２の本数と人工歯１１の本数との合計を１４本となるように構成して、残存歯２以外の欠損歯を人工歯１１にして全て備えるよう構成することが出来る。又、人工歯１１の本数は、患者の装着感に応じて、例えば、最右側又は最左側の人工歯（第二大臼歯）を欠損させて、義歯床部を構成しても良い。
【００３９】
又、可動義歯床部１２の構成に特に限定は無いが、例えば、図１〜図４に示すように、固定義歯床部１０に対応して残存歯２の付根近傍を挟み込むよう構成される。ここで、可動義歯床部１２が挟み込む残存歯２の付根近傍は、残存歯２の歯肉から歯頚部までの部分であっても、残存歯２の歯肉から歯冠の下方近傍までの部分であっても良い。固定義歯床部１０と可動義歯床部１２とが挟み込む残存歯２の付根近傍は、患者の残存歯２の状況、馬蹄状の額堤３の状況、残存歯２の動揺の程度等に応じて、適宜設計変更される。
【００４０】
又、可動義歯床部１２の数に特に限定は無いが、例えば、２つ以上の残存歯２が離れている場合には、残存歯２の数に対応する数としても良いし、２つ以上の残存歯２が集中している場合には、残存歯２の全ての数に対して一つの可動義歯床部１２として、全ての残存歯２に跨るように一つの可動義歯床部１２を設けても良い。
【００４１】
又、可動義歯床部１２の形態に特に限定は無いが、例えば、図１〜図４に示すように、固定義歯床部１０に対面する可動義歯床部１２は、歯と歯肉との境界（例えば、残存歯２と歯肉との境界、人工歯１１と仮歯肉との境界）、つまり、歯の歯頚部で形成される波形状に対応する波形状を有し、固定義歯床部１０に装着されると、この可動義歯床部１２の波形状が、口腔の残存歯２の歯頚部と、固定義歯床部１０の人工歯１１の歯頚部とで形成される波形状に一致するよう構成される。
【００４２】
又、可動義歯床部１２を構成する材質は、ポリアミド樹脂であれば、特に限定は無いが、例えば、ポリアミド樹脂として脂肪族ポリアミド樹脂又は半芳香族ポリアミド樹脂を挙げることが出来る。脂肪族ポリアミド樹脂は、例えば、ナイロン６（ＰＡ６）、ナイロン１１（ＰＡ１１）、ナイロン１２（ＰＡ１２）、ナイロン４６（ＰＡ４６）、ナイロン６６（ＰＡ６６）、ナイロン９２（ＰＡ９２）、ナイロン９９（ＰＡ９９）、ナイロン６１０（ＰＡ６１０）、ナイロン６１２（ＰＡ６１２）、ナイロン９１２（ＰＡ９１２）、ナイロン１０１０（ＰＡ１０１０）、ナイロン１０１２（ＰＡ１０１２）、ナイロン６とナイロン１２との共重合体（ＰＡ６／１２）、ナイロン６とナイロン６６との共重合体（ＰＡ６／６６）等を挙げることが出来る。半芳香族ポリアミド樹脂は、例えば、ナイロン４Ｔ（ＰＡ４Ｔ）、ナイロン６Ｔ（ＰＡ６Ｔ）、ナイロンＭＸＤ６（ＰＡＭＸＤ６）、ナイロン９Ｔ（ＰＡ９Ｔ）、ナイロン１０Ｔ（ＰＡ１０Ｔ）、ナイロン１１Ｔ（ＰＡ１１Ｔ）、ナイロン１２Ｔ（ＰＡ１２Ｔ）、ナイロン１３Ｔ（ＰＡ１３Ｔ）等を挙げることが出来る。
【００４３】
又、ヒンジ部１３の構成に特に限定は無いが、例えば、固定義歯床部１０の一方（右側）の位置が、可動義歯床部１２の一端部（右側端部）に対応してくり貫かれて、そのくり貫かれた部分に可動義歯床部１２の一端部が配置（装着）された場合に、ヒンジ部１３は、固定義歯床部１０の一方の位置と可動義歯床部１２の一端部とを内部で挿通し、回動の中心軸となる回動ピンとして構成することが出来る。
【００４４】
又、ヒンジ部１３（回動ピン）の形状に特に限定は無いが、例えば、図２に示すように、直線状であっても良いし、一方の先端が折れ曲ったＬ字状でも、両方の先端が折れ曲ったコの字状でも構わない。
【００４５】
尚、図２に示すヒンジ部１３は、回動ピンと、回動ピンを支持する支持部とを備え、支持部は、上面部と下面部と平面部とで構成され、断面形状がコの字状の枠体と、枠体の上面部と下面部との両面部にそれぞれ設けられた、回動ピンを挿通可能な挿通孔と、当該挿通孔の近傍で、枠体の上面部と下面部と平面部との端部にそれぞれ接続された側面部と、枠体の平面部と側面部との角部を、挿通孔の曲面に対応する曲面の形状とする曲面部とを備えている。
【００４６】
又、凹部１４の構成に特に限定は無いが、例えば、図５Ａに示すように、正面部１４ａと背面部１４ｂと底面部１４ｃとで断面形状がコの字状を形成し、一方の側面部１４ｄ（ここでは、左側面部）を正面部１４ａと背面部１４ｂと底面部１４ｃとの端部にそれぞれ接続して構成される。ここで、左側面部１４ｄの一方の面が凹部１４の当接面１４ｓに対応し、この当接面１４ｓに溝部１６が形成される。
【００４７】
又、凸部１５の構成に特に限定は無いが、例えば、装着ピン１７と弾性部材１８とが内蔵され、突起部２０が外部に設けられるように略直方体の容器に構成される。
【００４８】
又、溝部１６の形状に特に限定は無いが、例えば、図５Ａに示すように、略直方体の形状でも良いし、装着ピン１７の先端の形状に対応する形状でも構わない。
【００４９】
又、装着ピン１７の形状に特に限定は無いが、例えば、図５Ｂに示すように、略直方体の形状でも良いし、円筒形状でも構わない。
【００５０】
又、弾性部材１８の構成に特に限定は無いが、例えば、図５Ｂに示すように、スプリングバネやコイルバネでも良いし、ゴムでも構わない。
【００５１】
又、傾斜面１９の構成に特に限定は無いが、例えば、図５Ｂに示すように、凸部１５の先端面１５ｓから出る装着ピン１７の長さが、凸部１５が凹部に装着される方向に向かって短くなるような傾斜面でも良いし、曲面でも構わない。
【００５２】
又、突起部２０の構成に特に限定は無いが、例えば、図５Ｂに示すように、凸部１５の内部で装着ピン１７に接続された略直方体でも良いし、球状や楕円形状であっても構わない。尚、図５Ｂでは、突起部２０が装着ピン１７と接続して、断面形状が略Ｌ字状又は略コの字状になっている。
【００５３】
ここで、本発明では、更に、凸部１５の側面１５ｖと当接する凹部１４の底面１４ｖに設けられた係止片２１と、凸部１５の側面１５ｖに設けられ、係止片２１が係止される係止穴２２とを更に備えても良い。これにより、凸部１５を凹部１４に装着すると、装着ピン１７が凹部１４の当接面１４ｓを滑って凸部１５の内部に入るとともに、凹部１４の係止片２１が凸部１５の係止穴２２に入って、凹部１４に対する凸部１５が位置決めされる。これにより、凹部１４への凸部１５の装着が円滑になるとともに、一度、凸部１５が凹部１４に装着されると、装着ピン１７が溝部１６に入るとともに、係止片２１が係止穴２２に入る。これにより、凹部１４への凸部１５の装着を強固にすることが可能となり、入れ歯１を安定して口腔内に固定することが可能となる。又、係止片２１は、溝部１６に対向する角部を面取りして傾斜面を構成して、凹部１４への凸部１５の装着を更に円滑にするよう構成しても良い。
【００５４】
又、本発明では、可動義歯床部１２に接続される凸部１５の部分から可動義歯床部１２に向かって延出された留め部２３と、留め部２３に設けられた貫通孔２４とを更に備えても良い。これにより、製造の際に、可動義歯床部１２は、ポリアミド樹脂の溶融固化により形成されるが、凸部１５の留め部２３と貫通孔２４とに可動義歯床部１２が侵入し、溶融固化するため、可動義歯床部１２に対して凸部１５を強固に組み込み、可動義歯床部１２から凸部１５を外れ難くすることが可能となる。
【００５５】
さて、各部材の材質であるが、固定義歯床部１０及び可動義歯床部１２に使用されるポリアミド樹脂は、所定の可撓性を有するとともに寸法安定性に優れるナイロン系樹脂を採用することが出来る。人工歯１１は、陶歯、樹脂歯、金属歯等を採用することが出来る。又、凹部１４及び凸部１５は、例えば、金−銀−パラジウム合金、コバルト−クロム合金、白金加金、チタン合金、白金加金等を採用することが出来る。
【実施例】
【００５６】
以下、実施例によって本発明を具体的に説明するが、本発明はこれにより限定されるも
のではない。
【００５７】
先ず、金型を用いて、ヒンジ部１３を鋳造により製造した。ヒンジ部１３は、図７Ａに示すように、上面部と下面部と平面部とで構成された枠体１３ａと、挿通孔１３ｂと、側面部１３ｃと、曲面部１３ｄとを備える。又、樹脂成型を容易にするための補助部１３ｅを用意した。補助部１３ｅは、枠体１３ａの平面部に対応する蓋部１３ｆと、側面部１３ｃに外側から当接される当接部１３ｇと、曲面部１３ｄに対面し、当接部１３ｇから側面部１３ｃまでの間を空けて、挿通孔１３ｂの曲面に対応する曲面の形状とし、枠体１３ａの内部に装着可能な補助曲面部１３ｈとを備える。枠体１３ａを固定義歯床部１０の所定位置に配置し、回動ピン１３ｉを挿通孔１３ｂに挿通させて、補助部１３ｅで枠体１３ａを蓋した状態とし、その状態で、可動義歯床部１２を構成するポリアミド樹脂を流し込んで成形し、補助部１３ｅを取り除けば、回動ピン１３ｉを軸として回動可能な可動義歯床部１２を成形した。
【００５８】
又、凹部１４と凸部１５とは、各部を、上述と同様に、金型を用いてそれぞれ鋳造により製造し、各部を組み立てて溶接することで、図７Ｂに示すように、凹部１４と凸部１５とを形成した。凹部１４の幅方向の寸法は４ｍｍと非常に小さい。
【００５９】
さて、下顎の残存歯が６本の患者に本発明に係る入れ歯１を作成した。この患者の下顎には、図８に示すように、左右の中切歯、左右の側切歯、左右の犬歯が残存歯である。上顎には、治療歯を有するが、欠損歯は無い。
【００６０】
そこで、下顎の残存歯２と顎堤３に対応する入れ歯１を作成した。入れ歯１の固定義歯床部１０には、アクリル樹脂と金属とを使用し、可動義歯床部１２には、ポリアミド樹脂を使用し、凹部１４と凸部１５とを用いて着脱部を構成した。
【００６１】
このような下顎の入れ歯１を上述した患者に装着させたところ、下顎の入れ歯１が患者の下顎に強固に装着され、一見して、入れ歯１を嵌めているように見えないことが理解される。又、患者に装着感を聞いたところ、長期間使用しても、入れ歯１が残存歯２に適合し、装着に違和感が無く、十分な咀嚼感を得ることが出来るとのことであった。更に、入れ歯１は、ワンタッチで着脱可能となるため、使い易いとのことであった。
【００６２】
他の実施例として、次に、下顎の残存歯が４本で、残存歯が離れている患者に本発明に係る入れ歯１を作成した。この患者の下顎には、図９に示すように、左右の犬歯、左側の第一小臼歯、左側の第二小臼歯が残存歯である。上顎には、治療歯を有するが、欠損歯は無い。
【００６３】
そこで、上述と同様に、下顎の残存歯２と顎堤３に対応する入れ歯１を作成した。入れ歯１の固定義歯床部１０には、アクリル樹脂と金属とを使用し、可動義歯床部１２には、ポリアミド樹脂を使用し、凹部１４と凸部１５とを用いて着脱部を構成した。
【００６４】
このような下顎の入れ歯１を上述した患者に装着させたところ、下顎の入れ歯１が患者の下顎に強固に装着され、上述と同様に、一見して、入れ歯１を嵌めているように見えないことが理解される。又、患者からは、入れ歯の残存歯への適合性の良さ、装着の違和感の無さ、咀嚼感の充実、ワンタッチ着脱による操作性の向上の評価を得た。
【００６５】
他の実施例として、上顎の残存歯が５本で、残存歯が離れている患者に本発明に係る入れ歯１を作成した。この患者の上顎には、図１０に示すように、左右の中切歯、左側の側切歯、右側の犬歯、左側の第一小臼歯が残存歯である。下顎には、治療歯を有するが、欠損歯は無い。
【００６６】
そこで、上述と同様に、上顎の残存歯２と顎堤３に対応する入れ歯１を作成した。入れ歯１の固定義歯床部１０には、アクリル樹脂と金属とを使用し、可動義歯床部１２には、ポリアミド樹脂を使用し、凹部１４と凸部１５とを用いて着脱部を構成した。
【００６７】
このような上顎の入れ歯１を上述した患者に装着させたところ、上顎の入れ歯１が患者の上顎に強固に装着され、上述と同様に、一見して、入れ歯１を嵌めているように見えないことが理解される。又、患者からは、上述と同様に、入れ歯の残存歯への適合性の良さ、装着の違和感の無さ、咀嚼感の充実、ワンタッチ着脱による操作性の向上の評価を得た。
【００６８】
他の実施例として、上顎の残存歯が２本で、残存歯が離れている患者に本発明に係る入れ歯１を作成した。この患者の上顎には、図１１に示すように、右側の側切歯、左側の第二大臼歯が残存歯である。下顎には、治療歯を有するが、欠損歯は無い。
【００６９】
そこで、上述と同様に、上顎の残存歯２と顎堤３に対応する入れ歯１を作成した。入れ歯１の固定義歯床部１０には、アクリル樹脂と金属とを使用し、可動義歯床部１２には、ポリアミド樹脂を使用し、凹部１４と凸部１５とを用いて着脱部を構成した。
【００７０】
このような上顎の入れ歯１を上述した患者に装着させたところ、上顎の入れ歯１が患者の上顎に強固に装着され、上述と同様に、一見して、入れ歯１を嵌めているように見えないことが理解される。又、患者からは、上述と同様に、入れ歯の残存歯への適合性の良さ、装着の違和感の無さ、咀嚼感の充実、ワンタッチ着脱による操作性の向上の評価を得た。
【００７１】
他の実施例として、上顎の残存歯が４本で、下顎の残存歯が２本の患者に本発明に係る入れ歯１を作成した。この患者の上顎には、図１２に示すように、右側の第一小臼歯、右側の第二小臼歯が残存歯であり、下顎には、左右の犬歯、左側の第一小臼歯、左側の第二小臼歯が残存歯である。
【００７２】
そこで、上述と同様に、上顎と下顎の残存歯２と顎堤３に対応する入れ歯１を作成した。入れ歯１の固定義歯床部１０には、アクリル樹脂と金属とを使用し、可動義歯床部１２には、ポリアミド樹脂を使用し、凹部１４と凸部１５とを用いて着脱部を構成した。
【００７３】
このような上顎と下顎の入れ歯１を上述した患者に装着させたところ、上顎と下顎の入れ歯１が患者の上顎と下顎のそれぞれに強固に装着され、上述と同様に、一見して、入れ歯１を嵌めているように見えないことが理解される。又、患者からは、上述と同様に、入れ歯の残存歯への適合性の良さ、装着の違和感の無さ、咀嚼感の充実、ワンタッチ着脱による操作性の向上の評価を得た。
【００７４】
このように、本発明では、残存歯に馴染みやすく、且つ、ワンタッチで簡単に装着及び取り外しをすることが可能であることが分かった。
【産業上の利用可能性】
【００７５】
以上のように、本発明に係る入れ歯は、高齢者はもちろん、残存歯が数本のどのような患者に採用する入れ歯として有用であり、残存歯に馴染みやすく、且つ、ワンタッチで簡単に装着及び取り外しをすることが可能な入れ歯として有効である。
【符号の説明】
【００７６】
１  入れ歯
１０  固定義歯床部
１１  人工歯
１２  可動義歯床部
１３  ヒンジ部
１４  凹部
１５  凸部
１６  溝部１６
１７  装着ピン
１８  弾性部材
１９  傾斜面
２０  突起部
【図１】
2020130902.tif 000003
【図２】
2020130902.tif 000004
【図３】
2020130902.tif 000005
【図４】
2020130902.tif 000006
【図５】
2020130902.tif 000007
【図６】
2020130902.tif 000008
【図７】
2020130902.tif 000009
【図８】
2020130902.tif 000010
【図９】
2020130902.tif 000011
【図１０】
2020130902.tif 000012
【図１１】
2020130902.tif 000013
【図１２】
2020130902.tif 000014
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
残存歯の付根近傍の背面と欠損歯の存在した馬蹄状の顎堤の表面とを覆い、当該顎堤の表面に仮歯肉を形成させる固定義歯床部と、
前記仮歯肉の表面で、前記欠損歯の位置に設けられる人工歯と、
ポリアミド樹脂から構成され、前記残存歯の付根近傍の正面を覆う可動義歯床部と、
前記固定義歯床部の左右方向の一方側に設けられ、前記可動義歯床部を口腔内の正面側に回動可能とするヒンジ部と、
前記固定義歯床部の左右方向の他方側に設けられる凹部と、
前記可動義歯床部の左右方向の他方側に設けられる凸部と、
前記凹部に設けられ、前記凸部の先端面と当接する凹部の当接面に、口腔内の左右方向の他方に沿って設けられる溝部と、
前記凸部に設けられ、前記凸部の先端面から口腔内の左右方向に出入可能に設けられる装着ピンと、
前記凸部に設けられ、前記装着ピンを口腔内の左右方向の他方側に押圧して、前記装着ピンを前記凸部の先端面から出した状態にする弾性部材と、
前記凹部の当接面を滑るように、前記凸部の先端面からの装着ピンの先端に形成される傾斜面と、
前記凸部に設けられ、前記装着ピンを口腔内の左右方向にスライド可能に保持し、前記凸部が前記凹部に装着中に口腔内の正面側に突出する突起部と、
を備え、
前記固定義歯床部を前記残存歯の付根近傍の背面及び前記顎堤の表面に被覆させて、前記ヒンジ部を介して、前記可動義歯床部を前記残存歯の付根近傍の正面に回動して被せて、前記凸部を前記凹部に装着すると、前記凹部の当接面が前記装着ピンの傾斜面に当接して、前記弾性部材の押圧に抗して、前記装着ピンを前記凸部の先端面から入った状態にし、前記装着ピンの傾斜面が前記凹部の溝部に接すると、前記弾性部材の押圧により、前記装着ピンを前記凸部の先端面から出た状態にして、前記装着ピンを前記溝部に装着し、前記突起部を口腔内の左右方向の一方側にスライドさせると、前記装着ピンが前記溝部から外れて、前記凸部が前記凹部から外れる
入れ歯。